(57)【要約】【課題】微細な非固着粒子を除去する。【解決手段】柄の先端に把持ホルダを備え、当該把持ホルダに硬度４５〜５５度、幅４０〜５０ｍｍ、厚み３〜５ｍｍの弾性ゴムを把持させ、当該弾性ゴムに極細糸で編んだ布カバーを覆った掃き掃除具である。これによって、５０μｍ以下の非固着粒子の除去ができる。前記布カバーが、扁平細糸を３パーセント程度混入した布であると更に効果をあげることができる。【選択図】図１
2014033895.tif 000002
【特許請求の範囲】
【請求項１】
柄の先端に把持ホルダを備え、当該把持ホルダに硬度４５〜５５度、幅４０〜５０mm、厚み３〜５ｍｍの弾性ゴムを把持させ、当該弾性ゴムに極細糸で編んだ布カバーを被せたことを特徴とする掃き掃除具。
【請求項２】
前記布カバーが、扁平細糸を３パーセント程度混入した布である請求項１に記載の掃き除具。
【発明の詳細な説明】
【技術分野】
【０００１】
本発明は、掃き掃除具に関するものである。
【背景技術】
【０００２】
床面・壁面等の清掃対象面に付着した汚れとしては、例えば粒子が対象面に圧着された状態の物理的付着、化学結合的作用のある物質により粒子が対象面に付着される状態の化学的付着、粒子が対象面に濡れた状態で付着するウエット付着等のいずれかでもって対象面にこびりついた状態の固着粒子と、空中に浮遊している粒子が重力に左右されて落下した状態で付着された自由落下粒子、静電気的な電荷が帯電することによって生じたクーロン力の作用でもって付着する帯電付着粒子等の埃性の非固着粒子とに分けられる。
【０００３】
前記、非固着粒子による汚れを除去する方法としては、水を使って拭くウエット清掃と、水を使わずに乾燥した状態で掃くドライ清掃とに分けられている。
【０００４】
日常的なドライ清掃に使われる用具としては、対象面が凹凸で複雑な箇所である場合には、電気掃除機等の吸引具、掃き掃除に使われるホウキが利用されることが多い。また、対象面が比較的に平滑な場合には、公定水分量の低い繊維を加工し、これを把持ホルダに取り付けた状態で対象面と摩擦させることで静電気によるクーロン力を発生させ、クーロン力と繊維の絡まり性とで粒子を捕集する、いわゆる帯電付着法が普及している。
【０００５】
一般に使用されている帯電付着法は、上記のようにクーロン力と、繊維空間への塵埃粒子の絡まりを利用するメカニズムのため、比重の大きな砂分の捕集効果が極端に小さくなる。この比重の大きな砂分は、野外の歩行時に靴底に付着し、建物内に持ち込まれる５０〜２００μｍの塵埃である。
【０００６】
一旦建物に持ち込まれた砂分は、床面に拡散し、その上を人が歩行する、あるいはキャスタで押さえつける等で、特に建物の入口周辺の床面を磨耗し、その光沢を損なう現象が発生する。
【０００７】
一方、ウエット清掃としては、雑巾を使う拭き掃除と、糸状の繊維を加工して拭取部としたモップ用具を使うモップ掃除が普及している他に、広い場所を清掃するための水等による洗浄法、およびこの洗浄法に際し床面洗浄機等を使用する組み合わせ法による機械化も進んでいる。
【先行技術文献】
【特許文献】
【０００８】
【特許文献１】特開平１０-１５５７１４号公報
【特許文献２】特開平０８-０５２１０１号公報
【特許文献３】特開平２００５-３３４０１８号公報
【発明の概要】
【発明が解決しようとする課題】
【０００９】
清掃作業のあと床がぬれた状態であると、歩く人がすべることがあり、特に、高齢者施設、あるいは病院等では、上記ウエット清掃が避けられる傾向にある。ドライ清掃は、上記のように、電気掃除機等の吸引具、掃き掃除に使われるホウキ、あるいは、対象面が比較的に平滑な場合には、いわゆる帯電付着法が利用される。
【００１０】
しかしながら、これらの用具を使用した場合、粒径約５０μｍ以下の小さな砂埃は、除去されにくく、その結果、靴底と床面との間で砂埃がサンドペーパー的に作用し、床面に塗布されているワックスおよび床材自体を強烈に研磨剥離してしまう等の問題が存在する。
【００１１】
また、一般的に利用されている帯電付着法用具は、接地面積が広いため、垂直荷重は小さく水平荷重が大きくなって作業性に優れるものの、対象面と繊維との密着性は低くなっている。
【００１２】
特開平１０-１５５７１４には、基台側に拭き掃除に適するふくらみを備え、先端側を掃き掃除に適するように細くしたゴム、スポンジ等よりなる可撓性基盤をそなえる清掃具が開示されている。しかしながら、この発明は掃き掃除にも、拭き掃除にも使用できる清掃具を提示しているにすぎず、上記、ゴム、スポンジがある程度の弾性力を備えていれば、砂分等の大きな塵埃を除去できるとはいえても、病院、研究所、半導体工場等で要求される５０μｍ以下のより小さい粒径の塵埃を完全に除去することは困難である。
【００１３】
特開２００５-３３４０１８に開示の発明は、把持ホルダにワイパーゴムを布材で包被し、当該把持ホルダを柄の先端に取り付けるようにしたものであるが、この発明でも、上記の条件をクリアするほどの清潔さを実現できるものではない。即ち、上記特開２００５-３３４０１８は、本来拭く掃除を対象にした構成であり、この構成を掃き掃除に応用しようとすると、ワイパーゴムを包皮する布カバーと対象面の接触状態が作業結果に大きな影響を与えることになるが、現状ではこの接触状態が良好ではなく、結果として、径の小さな塵埃を充分取り除くことはできない。
【００１４】
本発明は上記のような従来存した諸事情に鑑みて提案されたもので、床面に拡散した微細粒子や比較的大きな砂分埃等の非固着粒子を容易に捕集でき、清掃後の用具の洗濯も容易に行える拭き掃除具を提供することを目的とする。
【課題を解決するための手段】
【００１５】
上述した課題を解決するため、本発明は、柄の先端に把持フォルダを備え、当該把持フォルダに硬度４５〜５５、幅４０〜５０mm、厚み３〜５ｍｍの弾性ゴムを把持させ、当該弾性ゴムに極細糸で編んだ布カバーをしたものである。前記布カバーに扁平細糸を３パーセント程度混入させた布カバーを使用することによって、より効果をあげることがけきる。
【発明の効果】
【００１６】
本発明によれば、床面等の清掃対象面に、弾性ゴムを包皮した布カバーが適度の力で圧接されるとともに、その圧接状態は弾性ゴムの湾曲部から先端方向全体に及ぶことになる。これにより、掃き寄せ行為により対象面との間に広い範囲で摩擦が生じ、その部分に強い静電力が発生することになる。従って、拡散した微細粒子を当該強い静電力で吸着するとともに、静電力で布材に吸着されない比較的径の大きな粒子、例えば砂分も、前記圧接力を保った弾性ゴムで掃き寄せ方向に寄せられることになり、従来実現できなかった、より精度の高い清掃が実現することになる。
【図面の簡単な説明】
【００１７】
【図１】本発明の全体斜視図
【図２】弾性ゴムと対象面の関係を示す図
【図３】弾性ゴムと対象面の関係を示す図
【図４】弾性ゴムと対象面の関係を示す図
【発明を実施するための最良の形態】
【００１８】
図１は、本発明の全体斜視図である。
【００１９】
断面がコの字となる把持ホルダ２に、硬度４５〜５５の弾性ゴム３が挟みこまれネジ等で固定される。この弾性ゴム３の先端は４０〜５０ｍｍ程度把持ホルダ２の先端方向に突き出すように取り付けられている。
【００２０】
前記把持ホルダ２の後端中央（コの字の背部）には、取り付け板２１が固着され、当該取り付け板２１を利用して、柄１の先端に当該把持ホルダ２が取り付けられる。従って、弾性ゴム３が柄１の先端にT字状に取り付けられた形状となり、弾性ゴム３は柄１の長手方向に延びていることになる。
【００２１】
上記、弾性ゴム３としては硬度５０度前後の例えばシリコンゴムを使用するのが望ましく、更に当該弾性ゴムには布カバー４が、クリップあるいはファスナーを利用して被せられる。この布カバー４は含有水分が少ないポルプロピレン、もしくはポリエステルの極細糸を編んだ布が好ましく、また、不職布、もしくは表面にパイルを形成した布が好ましい。更に、扁平糸と極細糸との混紡を採用するのがこのましい。
【００２２】
このように構成した掃き掃除具は、従来の掃き掃除具と同様、柄１を手で持った状態で通常この種の掃除具を持つ力で対象面を軽く抑えて、掃き寄せ作業をする。このとき、図２に示すように、弾性ゴム３が、の弾性に抗して湾曲した位置から、包皮した布カバー４が先端に渡って、清掃対象面に軽く押し付けられた状態を維持することになる。
【００２３】
これによって、摩擦によって発生する静電気のクーロン力が広い範囲に渡って効率よく発生し、これに伴って、５０μｍ以下の非固着粒子の微細粒子あるいは可視粒子の一部を有効に吸着する。また、前記帯電吸着しない比較的大きな粒子は、弾性ゴム２が前記湾曲した位置から先端に渡って軽く対象面に押し付けられているので、スムーズに掃き寄せ方向に移動させられることになる。
【００２４】
仮に、上記弾性ゴム３の把持ホルダ２からの突出長さ、厚さを同一にして、硬度が、４５度以下である場合、あるいは、弾性ゴム３の硬度、厚さを同一にして把持ホルダ２からの突出長さを、５５ｍｍより長くしたとき、図４に示すように、弾性ゴムの先端部にまで、柄１を押し下げた力が伝達しなくなり、先端が浮き上がった状態となり、掃き寄せ行為によっても、布カバー４と対象面との間に充分な圧力が加わらないことになり、摩擦による帯電付着効果がちいさくなる。加えて、先端部が浮いた状態になるので、帯電付着しない比較的大きな粒子が掃き寄せ方向にスムーズに移動しないことになる。
【００２５】
また、逆に、上記弾性ゴム３の把持ホルダ２からの突出長さ、厚さを同一にして、硬度が、５５度以上である場合、あるいは、弾性ゴム３の硬度、厚さを同一にして把持ホルダ２からの突出長さを、４５ｍｍより短くしたとき、図３に示すように、弾性ゴム３の先端部分のみが対象面に圧力を加えることになり、帯電付着しない比較的大きな粒子の掃き寄せ効果はあるものの、帯電効果自体がちいさくなり、充分な清掃はできない。
【００２６】
上記布カバーに用いる布材はポリエステル、ポリプロピレン等含水率の少ない合成樹脂の極細糸が選択される。含水率が低いと帯電効果が高くなるとともに、洗濯もしやすくなり再利用が可能となる。また、糸径は細い程塵埃の絡まり空間が大きくなり効果的である。通常は10〜２０μmの径を中心に選択するが、より小さい粒子の除去が必要なクリ−ンルーム等では５μｍ以下の繊維径が選択される。また、空間捕集効果を高くするため、表面が毛羽立った状態、例えば、不職布、パイル織４１にするのが好ましい。更に、前記極細糸と扁平糸の混紡にするのがこのましい。これによって、扁平糸による対象面からの引き剥がし効果が大きくなる。
【００２７】
また、病院や微生物研究機関のように、掃除具自体をオートクレプで殺菌する必要がある場合には、上記弾性ゴムとしてシリコンゴムを使用すると、頻度の高い使用に耐えることになる。
【産業上の利用可能性】
【００２８】
本発明は、従来除去が出来なかった微細粒子の除去が可能になり、特に、病院や半導体工場、微生物の研究施設等の清掃に有効であり、産業上の利用価値は大きい。
【符号の説明】
【００２９】
１  柄
２  把持ホルダ
３  弾性ゴム
４  布カバー
２１  取り付け板
４１  不織布、パイル織
【図１】
2014033895.tif 000003
【図２】
2014033895.tif 000004
【図３】
2014033895.tif 000005
【図４】
2014033895.tif 000006